(57)【要約】【課題】大型収納棚やキャビネットなど、異なった形態の搬送物でも持ち上げて移動することが可能になる運搬装置を提供する。【解決手段】車輪５０を備えた支持基台１０と、該支持基台１０から鉛直上方に立設された支柱体２０とを設ける。該支柱体２０に沿って上下動自在に設けられた連結基盤３０と、該連結基盤３０を高さ調整自在に支持するジャッキ４０とを備える。連結基盤３０の盤面に連結する支持枠体６０と、搬送物Ｐの側面に着脱自在に装着する装着体７０とでアタッチメントを構成する。ジャッキ４０の操作で連結基盤３０を介して上昇する支持枠体６０により、装着体７０を下から支持して搬送物Ｐを持ち上げる。【選択図】図５
2010247726.tif 000002
【特許請求の範囲】
【請求項１】
車輪を備えた支持基台と、該支持基台から鉛直上方に立設された支柱体と、該支柱体に沿って上下動自在に設けられた連結基盤と、該連結基盤を高さ調整自在に支持するジャッキとを備えた運搬装置であって、連結基盤の盤面に着脱自在に装着する支持枠体と、搬送物の側面に装着する装着体とで構成されるアタッチメントを備え、ジャッキの操作で連結基盤を介して上昇する支持枠体により、装着体を下から支持して搬送物を持ち上げるように構成したことを特徴とする運搬装置。
【請求項２】
前記アタッチメントにおいて、前記支持枠体は、前記連結基盤の盤面に垂直方向に沿ってネジ止めされる複数本の固定枠と、該固定枠に水平に連結された複数本の係止杆とで構成され、固定枠の下端部は、前記支持基台方向に延長されると共に、固定枠の長手方向に沿って開口した長孔が開穿され、該長孔に前記支持基台に固定されたスライドピンを挿入することで、固定枠と支持基台とがスライド自在に係合するように構成した請求項１記載の運搬装置。
【請求項３】
前記アタッチメントにおいて、前記装着体は、前記搬送物の側面にネジ止めされる複数本の固定部と、該固定部から前記支持枠体方向に突出して支持枠体に下から係止される複数本の係止部とを備えた構造を成す請求項１又は２記載の運搬装置。
【請求項４】
前記アタッチメントにおいて、前記装着体は、前記搬送物の側面に巻き付けるラッシングベルトと、該ラッシングベルトによって搬送物に固定される連結杆と、該連結杆から前記支持枠体方向に突出して該支持枠体に下から係止される係止部とを備えた構造を成す請求項１又は２記載の運搬装置。
【発明の詳細な説明】
【技術分野】
【０００１】
本発明は、主に大型収納棚やキャビネットなどを持ち上げて移動するのに好適な運搬装置に関する。
【背景技術】
【０００２】
従来の運搬装置は、搬送物の底部に差し込んで持ち上げるフォーク部材や支持金具等を備えたものが一般的である（特許文献１）。
【０００３】
また、搬送物の形態に応じて工夫を凝らした運搬装置も提案されている。例えば、制御盤を搬送するために、この制御盤の底部に設けられている転倒防止具と交換可能なアタッチメントを設け、一方、搬送物を持ち上げる支持金具に脱落防止突起を設け、この脱落防止突起をアタッチメントの孔に挿通させた状態で制御盤を持ち上げる運搬装置が提案されている（特許文献２）。
【先行技術文献】
【特許文献】
【０００４】
【特許文献１】実開平４‐７５８９６号公報
【特許文献２】特開２００５‐３５３２０号公報
【発明の概要】
【発明が解決しようとする課題】
【０００５】
ところがこれら従来の運搬装置によると、いずれも搬送物を持ち上げる支点の位置が予め限定されており、搬送物に応じて支点の位置を変更することは困難であった。
【０００６】
すなわち、特許文献１の如く、フォーク部材や支持金具等を搬送物の底部に差し込んで持ち上げる運搬装置では、支点の位置が常に搬送物の底部に限定されることになる。また特許文献２のように、制御盤の底部に設けられている転倒防止具と交換可能なアタッチメントを設けた運搬装置でも、支点の位置は制御盤の底部に限定されている。
【０００７】
このように、搬送物を支える支点の位置等が予め制限された運搬装置によると、搬送可能になる搬送物の形態も特定の形態に限定されるため、個々の搬送物に特化した専用の運搬装置が使用されることが多い。しかも、支点の位置が搬送物の底部にある運搬装置では例えば、パレットラックのように枠体で構成された棚構造など、底部に支える手がかりがない搬送物を持ち上げることはできなかった。そのため、従来パレットラック等を移動するには、このパレットラック等を分解して移動し、移動先で改めて組み立てるといった作業が必要になっており、パレットラックに荷を載置した状態での移動などは全く不可能であった。
【０００８】
そこで本発明は、上述の課題を解消すべく創出されたもので、大型の収納棚やキャビネットなど、異なった形態の搬送物でも持ち上げて移動が可能になる運搬装置の提供を目的とするものである。
【課題を解決するための手段】
【０００９】
上述の目的を達成すべく本発明における第１の手段は、車輪５０を備えた支持基台１０と、該支持基台１０から鉛直上方に立設された支柱体２０と、該支柱体２０に沿って上下動自在に設けられた連結基盤３０と、該連結基盤３０を高さ調整自在に支持するジャッキ４０とを備えた運搬装置であって、連結基盤３０の盤面に着脱自在に装着する支持枠体６０と、搬送物Ｐの側面に装着する装着体７０とで構成されるアタッチメントを備え、ジャッキ４０の操作で連結基盤３０を介して上昇する支持枠体６０により、装着体７０を下から支持して搬送物Ｐを持ち上げるように構成したものである。
【００１０】
第２の手段は、前記アタッチメントにおいて、前記支持枠体６０は、前記連結基盤３０の盤面に垂直方向に沿ってネジ止めされる複数本の固定枠６１と、該固定枠６１に水平に連結された複数本の係止杆６２とで構成され、固定枠６１の下端部は、前記支持基台１０方向に延長されると共に、固定枠６１の長手方向に沿って開口した長孔６３が開穿され、該長孔６３に前記支持基台１０に固定されたスライドピン１２を挿入することで、固定枠６１と支持基台１０とがスライド自在に係合するように構成した。
【００１１】
第３の手段は、前記アタッチメントにおいて、前記装着体７０は、前記搬送物Ｐの側面にネジ止めされる複数本の固定部７１と、該固定部７１から前記支持枠体６０方向に突出して支持枠体６０に下から係止される複数本の係止部７２とを備えた構造を成す。
【００１２】
第４の手段は、前記アタッチメントにおいて、前記装着体７０は、前記搬送物Ｐの側面に巻き付けるラッシングベルト７５と、該ラッシングベルト７５によって搬送物Ｐに固定される連結杆７６と、該連結杆７６から前記支持枠体６０方向に突出して該支持枠体６０に下から係止される係止部７７とを備えた構造を成すことを課題解消のための手段とする。
【発明の効果】
【００１３】
本発明の請求項１の如く、連結基盤３０に支持枠体６０を装着し、搬送物Ｐに装着体７０を装着するアタッチメントを設けたことで、形態が異なった搬送物Ｐでも容易に持ち上げて移動させることができる。
【００１４】
請求項２に記載のごとく、連結基盤３０に装着する固定枠６１の下端部がスライドピン１２を介して支持基台１０にスライド自在に係合するから、支点の位置が高い位置に設定された場合や支持荷重が増大した場合などでも、安定した状態で支持することができる。この結果、どのような形態の搬送物Ｐでも持ち上げて移動することが可能になるものである。
【００１５】
請求項３に記載のアタッチメントにおいて、前記装着体７０は、前記搬送物Ｐの側面にネジ止めされる複数本の固定部７１と、該固定部７１から前記支持枠体６０方向に突出して支持枠体６０に下から係止される複数本の係止部７２とを備えた構造を成しているので例えば、パレットラックのような棚構造を成した搬送物Ｐでも簡単に持ち上げて搬送することができる。この結果、パレットラック等を分解して移動する必要がなくなり、パレットラック等に荷を載置した状態での移動など、従来では不可能であった搬送が容易に行えるものである。
【００１６】
請求項４の記載のアタッチメントにおいて、前記装着体７０は、前記搬送物Ｐの側面に巻き付けるラッシングベルト７５と、該ラッシングベルト７５によって搬送物Ｐに固定される連結杆７６と、該連結杆７６から前記支持枠体６０方向に突出して支持枠体６０に下から係止される係止部７７とを備えた構造を成しているので、例えば、通信ラックのようにネジ止めが困難な搬送物Ｐでも簡単に持ち上げて搬送することができる。
【図面の簡単な説明】
【００１７】
【図１】本発明支持基台の一実施例を示す正面図である。
【図２】本発明アタッチメントを装着した状態を示す側面図である。
【図３】本発明によりパレットラックを持ち上げた状態を示す要部側面図である。
【図４】本発明支持枠体の一実施例を示し（イ）は正面図、（ロ）は側面図である。
【図５】本発明によりパレットラックを持ち上げた状態を示す全体の側面図である。
【図６】本発明により通信ラックを持ち上げた状態を示す全体の側面図である。
【図７】本発明により通信ラックを持ち上げた状態を示す要部拡大側面図である。
【図８】本発明装着体の他の実施例を示し（イ）は平面図、（ロ）は正面図である。
【図９】本発明支持枠体の他の実施例を示し、（イ）は正面図、（ロ）は側面図である。
【発明を実施するための形態】
【００１８】
連結基盤３０に装着するアタッチメントを交換することにより、例えば大型収納棚やキャビネットなど、異なった形態の搬送物でも持ち上げて移動することが可能になるなどといった目的を実現した。
【実施例】
【００１９】
以下、図面を参照して本発明の一実施例を説明する。本発明運搬装置の主な構成は、連結基盤３０やジャッキ４０を備えた支持基台１０と、この連結基盤３０等に装着するアタッチメントなどで構成されている（図１参照）。
【００２０】
支持基台１０は、車輪５０を備えた部材で、後述するアタッチメントを介して持ち上げた搬送物Ｐをこの支持基台１０ごと移動する。図示の支持基台１０は、側面略H状に溶接された鋼板１１の内部に一対の車輪５０を装着し、鋼板１１の上面に後述する支柱体２０やジャッキ４０を立設している（図２参照）。そして、支持基台１０の前面に位置する鋼板１１にスライドピン１２を装着固定し、該スライドピン１２にて後述するアタッチメントの支持枠体６０を係合せしめるものである。
【００２１】
支柱体２０は、支持基台１０から鉛直上方に立設された部材であり、該支柱体２０に沿って連結基盤３０が上下動自在に設けられている。図示例では、左右一対の支柱体２０を設置し、この支柱体２０の上端部を連結杆２１にて連結補強している（図１参照）。さらに、この連結杆２１の上面に把手２２を設け、支持基台１０の運搬を容易にしている。
【００２２】
連結基盤３０は、支柱体２０に沿って上下動自在に設けられ、支持基台１０に備えたジャッキ４０の操作によって高さ調整自在に支持される部材である。そして、この連結基盤３０の盤面に、アタッチメントを装着することで搬送物Ｐを搬送するものである。図示の連結基盤３０は、支柱体２０に外嵌する左右一対のスライド部３１と該スライド部３１の間に設けられた装着面部３２とからなり、この装着面部３２に連結孔３３を開穿し、後述するアタッチメントをネジ止めするように設けている（図１参照）。
【００２３】
アタッチメントは、連結基盤３０の盤面に連結する支持枠体６０と、搬送物Ｐの側面に着脱自在に装着する装着体７０とで構成されている。そして、ジャッキ４０の操作で連結基盤３０の上昇に伴って支持枠体６０が上昇することにより、装着体７０を下から支持して搬送物Ｐを持ち上げる（図３参照）。このとき、形態の異なった搬送物Ｐに適応する装着体７０を各種用意しておき、各搬送物Ｐに装着体７０を装着することで、形態の異なった搬送物Ｐの搬送が可能になるのである（図５、図６参照）。
【００２４】
アタッチメントにおける一方の支持枠体６０は、連結基盤３０に装着されるもので、連結基盤３０の盤面に垂直方向に沿ってネジ止めされる複数本の固定枠６１と、該支持枠体６０に水平にされた複数本の係止杆６２とで構成されている（図４参照）。すなわち、固定枠６１の下端部は、支持基台１０方向に延長されている（同図（イ）参照）。図示の固定枠６１は、連結基盤３０の盤面にネジ止めする連結板６４から屈曲形成され、該連結板６４にネジ孔６５を開穿したものである。さらに、固定枠６１の側面には長手方向に沿った長孔６３が開穿されている（同図（ロ）参照）。そして、この長孔６３に、前記支持基台１０に固定されたスライドピン１２を挿入することで、連結基盤３０に伴って上下する支持枠体６０と支持基台１０とがスライド自在に係合するように構成している（図２参照）。
【００２５】
アタッチメントにおける他方の装着体７０は、搬送物Ｐに装着する。図２に示す装着体７０は、搬送物Ｐの側面にネジ止めされる固定部７１と、該固定部７１から支持枠体６０方向に突出する側面略鉤形状の係止部７２とで構成されている。このとき、固定部７１は連結ボルト７３にて搬送物Ｐに連結されると共に、固定部７１から搬送物Ｐの側面に挿入する側面略へ字状の係止杆７４を備えることで、装着体７０の装着を容易にしている（図２参照）。このタイプのアタッチメントは、例えば、パレットラックのような棚構造を成した搬送物Ｐに装着体７０を装着して使用するものである（図５参照）。
【００２６】
図６に示すタイプのアタッチメントでは、装着体７０に、搬送物Ｐの側面に巻き付けるラッシングベルト７５を備えている。すなわち、この装着体７０は、ラッシングベルト７５によって搬送物Ｐに固定される連結杆７６と、該連結杆７６から前記支持枠体６０方向に突出し、該支持枠体６０に下から係止される側面略鉤形状の係止部７７とを備えたものである（図７参照）。このタイプのアタッチメントは、例えば通信ラックのようにネジ止めが困難な搬送物Ｐに使用することができる。
【００２７】
図７に示す装着体７０は、搬送物Ｐの側面に巻き付けるラッシングベルト７５を連結可能にした上下一対の連結杆７６を設けたものである。この連結杆７６によると、ラッシングベルト７５の取り付け位置を上下で選択自在にすると共に、同時に２本のラッシングベルト７５を取り付けることも可能である。そして、該連結杆７６から支持枠体６０方向に突出する側面略鉤形状の係止部７７を左右に一対設けている（図７、図８（ロ）参照）。さらに、係止部７７の下端部から搬送物Ｐ方向に屈曲延長される係止片７８を備えており（図８（イ）参照）、この係止片７８により、搬送物Ｐの底部を係止できるようにしている（図７参照）。また、図６に示すアタッチメントを使用する場合、支持枠体６０の係止杆６２を長めに形成してもよい（図９参照）。
【００２８】
本発明の使用方法は、搬送物Ｐの両側面に装着体７０を装着し、これらの装着体７０を各支持枠体６０が支持して持ち上げた状態で移動するものであるが、装着体７０や支持枠体６０の数は任意に増減することも可能である。尚、本発明は、図示例に限定されるものではなく、本発明の各構成は本発明の要旨を変更しない範囲において自由に変更できるものである。
【産業上の利用可能性】
【００２９】
本発明によると、アタッチメントを交換することで、大型収納棚やキャビネットなど、異なった形態の搬送物Ｐを搬送することが可能になる。
【符号の説明】
【００３０】
Ｐ  搬送物
１０  支持基台
１１  鋼板
１２  スライドピン
２０  支柱体
２１  連結杆
２２  把手
３０  連結基盤
３１  スライド部
３２  装着面部
３３  連結孔
４０  ジャッキ
５０  車輪
６０  支持枠体
６１  固定枠
６２  係止杆
６３  長孔
７０  装着体
７１  固定部
７２  係止部
７３  連結ボルト
７４  係止杆
７５  ラッシングベルト
７６  連結杆
７７  係止部
７８  係止片
【図１】
2010247726.tif 000003
【図２】
2010247726.tif 000004
【図３】
2010247726.tif 000005
【図４】
2010247726.tif 000006
【図５】
2010247726.tif 000007
【図６】
2010247726.tif 000008
【図７】
2010247726.tif 000009
【図８】
2010247726.tif 000010
【図９】
2010247726.tif 000011